【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
患者の脈管に挿入するようにサイズ及び形状が決められた、近位側部分及び遠位側部分を含む可撓性の細長い部材と、
前記可撓性の細長い部材の前記遠位側部分に配設された画像診断アセンブリであって、
複数の切り欠きを備えるフレックス回路と、
前記フレックス回路が周りに位置付けられた、近位側部分、遠位側部分、並びに前記近位側部分及び前記遠位側部分よりも高い可撓性を有する中央部分を含む支持部材とを含み、
前記画像診断アセンブリの可撓性を増加させるために、前記フレックス回路の前記複数の切り欠きが、前記支持部材の前記中央部分と位置合わせされる、画像診断アセンブリとを含む、
脈管内画像診断デバイス。
【請求項２】
前記フレックス回路は、複数のトランスデューサを含む第１の区画と、複数のコントローラを含む第２の区画と、前記複数のトランスデューサと前記複数のコントローラとの間の通信を容易にする複数の導電性トレースを含む第３の区画とを含み、前記複数の切り欠きが、前記第３の区画に配設される、請求項１に記載の脈管内画像診断デバイス。
【請求項３】
前記フレックス回路の前記第３の区画の寸法値は、前記第１の区画及び前記第２の区画の対応する寸法値よりも小さい、請求項２に記載の脈管内画像診断デバイス。
【請求項４】
前記フレックス回路の前記第３の区画は前記支持部材の前記中央部分と位置合わせされる、請求項３に記載の脈管内画像診断デバイス。
【請求項５】
前記フレックス回路の前記第３の区画は、前記フレックス回路が前記支持部材の周りに位置付けられたとき、前記支持部材の前記中央部分と接触する、請求項４に記載の脈管内画像診断デバイス。
【請求項６】
前記支持部材の前記中央部分の寸法値は、前記近位側部分及び前記遠位側部分の対応する寸法値よりも小さい、請求項１に記載の脈管内画像診断デバイス。
【請求項７】
前記中央部分は、前記支持部材の外表面から径方向内側に延在する切り欠きを含む、請求項１に記載の脈管内画像診断デバイス。
【請求項８】
前記支持部材の前記中央部分の形状は、前記支持部材の周りにあるフレックス回路の少なくとも一部分の配向に対応する、請求項２に記載の脈管内画像診断デバイス。
【請求項９】
前記中央部分は近位側区画と遠位側区画との間を直線的に延在する、請求項８に記載の脈管内画像診断デバイス。
【請求項１０】
前記中央部分は近位側区画と遠位側区画との間を曲線状に延在する、請求項８に記載の脈管内画像診断デバイス。
【請求項１１】
前記中央部分は近位側区画と遠位側区画との間を螺旋状に延在する、請求項８に記載の脈管内画像診断デバイス。
【請求項１２】
前記支持部材の前記近位側部分、前記中央部分、及び前記遠位側部分は一体的に形成されている、請求項８に記載の脈管内画像診断デバイス。
【請求項１３】
前記近位側部分及び前記遠位側部分は、前記中央部分を介して機械的に連結された別個の構成要素である、請求項１に記載の脈管内画像診断デバイス。
【請求項１４】
前記支持部材の前記中央部分は第１の材料を含み、近位側区画及び遠位側区画は前記第１の材料とは異なる第２の材料を含む、請求項１に記載の脈管内画像診断デバイス。
【請求項１５】
脈管内画像診断デバイスを組み立てる方法であって、前記方法は、
近位側部分、遠位側部分、並びに前記近位側部分及び前記遠位側部分よりも高い可撓性を有する中央部分を含む支持部材を獲得するステップと、
フレックス回路を前記支持部材の周りに位置付けるステップであって、前記フレックス回路の一部分を前記支持部材の周りに螺旋構成で巻き付けることを含む、ステップと、
前記フレックス回路及び前記支持部材が可撓性の細長い部材の遠位部分に配設されるようにして、前記可撓性の細長い部材を前記フレックス回路又は前記支持部材の少なくとも一方に連結するステップとを有する、
方法。
【請求項１６】
前記獲得するステップは、
一体的に形成された近位側部分、遠位側部分、及び中央部分を含む前記支持部材を成型することを含む、
請求項１５に記載の方法。
【請求項１７】
前記支持部材の前記中央部分の寸法値は、前記近位側部分及び前記遠位側部分の対応する寸法値よりも小さい、請求項１６に記載の方法。
【請求項１８】
前記獲得するステップは、
材料を前記支持部材のブランクから取り除いて、前記近位側部分、前記遠位側部分、及び前記中央部分を形成することを含む、
請求項１５に記載の方法。
【請求項１９】
前記支持部材の前記中央部分の寸法値は、前記近位側部分及び前記遠位側部分の対応する寸法値よりも小さく、取り除くことによって前記中央部分が形成される、請求項１８に記載の方法。
【請求項２０】
前記獲得するステップは、
第１の支持部材構成要素及び第２の支持部材構成要素を獲得するステップと、
接続部材を使用して前記第１の支持部材構成要素及び前記第２の支持部材構成要素を連結するステップとを含む、
請求項１５に記載の方法。
【請求項２１】
患者の脈管に挿入するようにサイズ及び形状が決められた、近位側部分及び遠位側部分を含む可撓性の細長い部材と、
前記可撓性の細長い部材の前記遠位側部分に配設された画像診断アセンブリであって、
フレックス回路と、
第１の支持部材構成要素と、
前記第１の支持部材構成要素から分離して長手方向に離間した第２の支持部材構成要素とを含み、
前記フレックス回路が前記第１の支持部材構成要素及び前記第２の支持部材構成要素の周りに位置付けられる、画像診断アセンブリとを含む、
脈管内画像診断デバイス。
【請求項２２】
前記フレックス回路は、複数のトランスデューサを含む第１の区画と、複数のコントローラを含む第２の区画と、前記複数のトランスデューサと前記複数のコントローラとの間の通信を容易にする複数の導電性トレースを含む第３の区画とを含む、請求項２１に記載の脈管内画像診断デバイス。
【請求項２３】
前記フレックス回路の前記第１の区画は前記第１の支持部材構成要素の周りに位置付けられている、請求項２２に記載の脈管内画像診断デバイス。
【請求項２４】
前記フレックス回路の前記第２の区画は前記第２の支持部材構成要素の周りに位置付けられている、請求項２２に記載の脈管内画像診断デバイス。
【請求項２５】
前記フレックス回路の前記第３の区画は前記第１の支持部材構成要素と前記第２の支持部材構成要素との間に延在する、請求項２２に記載の脈管内画像診断デバイス。
【請求項２６】
前記フレックス回路の前記第３の区画は複数の切り欠きを備える、請求項２５に記載の脈管内画像診断デバイス。
【請求項２７】
脈管内画像診断デバイスを組み立てる方法であって、前記方法は、
第１の支持部材構成要素を獲得するステップと、
第２の支持部材構成要素を獲得するステップと、
前記第１の支持部材構成要素及び前記第２の支持部材構成要素が互いから分離して長手方向に離間されるようにして、前記第１の支持部材構成要素及び前記第２の支持部材構成要素を第１の近位側部材に連結するステップと、
フレックス回路を前記第１の支持部材構成要素及び前記第２の支持部材構成要素の周りに位置付けるステップとを有する、
方法。
【請求項２８】
前記第１の支持部材構成要素は前記第２の支持部材構成要素の遠位側に位置付けられる、請求項２７に記載の方法。
【請求項２９】
前記フレックス回路を位置付けるステップは、前記フレックス回路のトランスデューサ領域を前記第１の支持部材構成要素の周りに位置付けることを含む、請求項２８に記載の方法。
【請求項３０】
前記フレックス回路を位置付けるステップは、前記フレックス回路のコントローラ領域を前記第２の支持部材構成要素の周りに位置付けることを含む、請求項２８に記載の方法。
【請求項３１】
前記フレックス回路を位置付けるステップは、移行領域が前記第１の支持部材構成要素と前記第２の支持部材構成要素との間に延在するようにして、前記フレックス回路の前記移行領域を位置付けることを含む、請求項２８に記載の方法。
【請求項３２】
前記移行領域は複数の切り欠きを備える、請求項３１に記載の方法。
【請求項３３】
前記フレックス回路は複数の切り欠きを備え、前記位置付けるステップは、前記複数の切り欠きが、前記支持部材の前記中央部分と位置合わせされるように、前記フレックス回路の前記一部分を前記支持部材の周りに巻き付けることを含む、請求項１５に記載の方法。
【請求項３４】
前記第１の支持部材構成要素は、前記第２の支持部材構成要素の遠位側に位置付けられる、請求項２１に記載の脈管内画像診断デバイス。